(57)【要約】【課題】光学フィルムを被着体に精度よく貼付可能な光学フィルムの貼付装置および光学フィルムの貼付方法を提供すること。【解決手段】光学フィルムの貼付装置１００は、光学フィルムとしての偏光板４の一方の短辺部が保持面からはみ出た状態で吸着保持されるフィルム保持部としてのフィルムステージ１０８と、偏光板４の平面的な中心を回転中心としてフィルムステージ１０８を回転させる回転機構としてのモーター１１０と、被着体としての液晶パネル３が載置される被着体保持部としてのパネルステージ１０３と、偏光板４を液晶パネル３の貼付開始位置に位置決めする配置機構と、回転自在に支持された貼付ローラー１１５と、貼付ローラー１１５により上記一方の短辺部の背面側から偏光板４が液晶パネル３に押圧された状態でパネルステージ１０３を貼付開始位置から少なくとも貼付終了位置まで移動させる移動機構と、を備えた。【選択図】図４
2010117546.tif 000002
【特許請求の範囲】
【請求項１】
粘着面と非粘着面とを有する四角形の光学フィルムを板状の被着体の表面に貼り付ける光学フィルムの貼付装置であって、
前記光学フィルムが吸着される保持面を有し、前記光学フィルムの一方の辺部が前記保持面からはみ出た状態で前記光学フィルムの前記非粘着面側が前記保持面に吸着保持されるフィルム保持部と、
前記光学フィルムの外形を基準とした光学軸の所定の角度に対する実際の角度との差に基づいて、前記光学フィルムの平面的な中心を回転中心として前記フィルム保持部を前記保持面内で回転させる回転機構と、
前記被着体が載置され吸着保持される載置面を有する被着体保持部と、
前記被着体の表面に対して前記光学フィルムの前記粘着面が傾斜して対向するように前記フィルム保持部と前記被着体保持部とを配置して、前記光学フィルムの前記一方の辺部を前記被着体の貼付開始位置に位置決めする配置機構と、
前記光学フィルムを前記被着体側に押圧可能であって、回転自在に支持された貼付ローラーと、
前記貼付ローラーにより前記一方の辺部の背面側から前記光学フィルムが前記被着体に押圧された状態で、前記被着体保持部を前記貼付開始位置から少なくとも貼付終了位置まで移動させる移動機構と、を備えたことを特徴とする光学フィルムの貼付装置。
【請求項２】
前記フィルム保持部は、前記光学フィルムが吸着保持される際に、前記光学フィルムの前記一方の辺部と交わる少なくとも１辺部が当接するガイド部を備えていることを特徴とする請求項１に記載の光学フィルムの貼付装置。
【請求項３】
前記回転機構は、前記ガイド部を前記光学フィルムの平面的な中心を回転軸として回転させることを特徴とする請求項２に記載の光学フィルムの貼付装置。
【請求項４】
前記フィルム保持部は、保持された前記光学フィルムの前記光学軸の角度を光学的に検出するための照射光が前記光学フィルムを透過可能な第１透過部が前記保持面に選択的に設けられていることを特徴とする請求項１乃至３のいずれか一項に記載の光学フィルムの貼付装置。
【請求項５】
前記光学フィルムが偏光体であり、前記被着体が液晶パネルであって、
前記被着体保持部は、保持された前記液晶パネルの光学軸の角度を光学的に検出するための照射光が前記液晶パネルを透過可能な第２透過部が前記載置面に選択的に設けられ、
前記配置機構により、前記フィルム保持部と前記被着体保持部とが傾斜して対向配置されたときに、光軸が前記第１透過部と前記第２透過部とを通過するように前記照射光を照射する光源と、前記光軸上であって前記第１透過部または前記第２透過部を臨む位置に設けられた受光部と、前記光源と前記受光部との間の前記光軸上であって、前記載置面に対して前記フィルム保持部の反対側に配置された光学軸方向が既知のマスター偏光子と、をさらに備えたことを特徴とする請求項４に記載の光学フィルムの貼付装置。
【請求項６】
粘着面と非粘着面とを有する四角形の光学フィルムを板状の被着体の表面に貼り付ける光学フィルムの貼付方法であって、
前記光学フィルムが吸着される保持面に対し、前記光学フィルムの一方の辺部が前記保持面からはみ出た状態で前記光学フィルムの前記非粘着面側を前記保持面に吸着保持するフィルム保持工程と、
前記光学フィルムの前記粘着面と前記被着体の表面とが傾斜して対向するように配置して、前記光学フィルムの前記一方の辺部を前記被着体の貼付開始位置に位置決めする位置決め工程と、
回転自在に保持された貼付ローラーを用いて、前記貼付開始位置に位置決めされた前記光学フィルムの前記一方の辺部から対向する他方の辺部まで背面側から前記光学フィルムを前記被着体側に押圧して貼り付ける貼付工程と、を備え、
前記フィルム保持工程は、前記光学フィルムの外形を基準とした光学軸の所定の角度に対する実際の角度との差に基づいて、前記光学フィルムの平面的な中心を回転中心として前記光学フィルムを前記保持面内で回転させることを特徴とする光学フィルムの貼付方法。
【請求項７】
前記保持面は、前記光学フィルムが吸着保持される際に、前記光学フィルムの前記一方の辺部と交わる少なくとも１辺部が当接するガイド部を備え、
前記貼付工程は、前記少なくとも１辺部が前記ガイド部に案内されながら、前記光学フィルムを前記被着体の表面に貼付することを特徴とする請求項６に記載の光学フィルムの貼付方法。
【請求項８】
前記光学フィルムが前記保持面に吸着された状態で、前記光学フィルムの光学軸の前記実際の角度を光学的に検出する検出工程をさらに備えたことを特徴とする請求項６または７に記載の光学フィルムの貼付方法。
【請求項９】
前記光学フィルムが偏光体であり、前記被着体が液晶パネルであって、
前記位置決め工程は、前記偏光体の前記粘着面と前記液晶パネルの表面とが傾斜して対向するように配置すると共に、前記偏光体に対して前記液晶パネルを挟んだ反対側に光学軸方向が既知のマスター偏光子をさらに対向配置して、前記偏光体と前記液晶パネルと前記マスター偏光子とを透過するように光を照射し、透過した光の強度を測定することにより前記偏光体の光学軸と前記液晶パネルの光学軸とが所定の配置となるように、前記偏光体と前記液晶パネルとの相対的な位置をさらに光学的に位置決めする工程を含むことを特徴とする請求項６乃至８のいずれか一項に記載の光学フィルムの貼付方法。
【請求項１０】
前記光学フィルムとしての前記偏光体は、偏光子と光学補償フィルムとを含むことを特徴とする請求項６乃至９のいずれか一項に記載の光学フィルムの貼付方法。
【発明の詳細な説明】
【技術分野】
【０００１】
本発明は、光学フィルムの貼付装置および光学フィルムの貼付方法に関する。
【背景技術】
【０００２】
液晶装置等の電気光学装置に装備される光学フィルムの貼付方法として、電気光学パネルに設けられたアライメントマークを基準として、該電気光学パネルと光学フィルムとしての偏光板とを貼り合わせる電気光学装置の製造方法が知られている（特許文献１）。
【０００３】
一方、上記特許文献１の電気光学装置の製造方法では、該電気光学パネルのアライメントマークと光学軸との相対的な位置関係においてばらつきを有する場合、該電気光学パネルの光学軸と偏光板の光学軸とが所定の位置関係となるように、精密に貼り合わせることが困難であるという課題を有している。
【０００４】
上記課題を解決する方法として、特許文献２または特許文献３には、光学軸の角度が既知のマスター偏光子（あるいはマスター偏光板）を基準として、電気光学パネルとしての液晶セルや光学フィルムとしての偏光板の光学軸を検出し、これに基づいて液晶セルと偏光板とを位置合わせして貼り合わせる技術や貼り合わせ装置の構成が開示されている。
【０００５】
具体的な光学軸の位置合わせ方法としては、マスター偏光子と液晶セルと偏光板とを透過する光の強度を計測することにより、光強度が最小または最大となるように液晶セルと偏光板との相対的な位置を調整している。
【０００６】
また、貼付装置として、電気光学装置におけるフラットパネルに対して粘着シートを貼り付ける貼付装置が知られている（特許文献４）。
【０００７】
上記貼付装置は、フラットパネルを載置するステージと、粘着部材を把持する把持手段とを有し、把持手段により粘着シートを把持させたままステージの移動に追従して押圧部材により、粘着シートをフラットパネルに押圧して貼り付ける構成となっている。
【０００８】
【特許文献１】特開２０００−２２１４６１号公報
【特許文献２】特開平８−２０１８０１号公報
【特許文献３】特開２００３−１０７４５２号公報
【特許文献４】特開２００６−２７６５８９号公報
【発明の開示】
【発明が解決しようとする課題】
【０００９】
しかしながら、上記特許文献２や上記特許文献３では、少なくとも４回に亘って電気光学パネルと光学フィルムとの光学的な位置合わせが必要であり、光学フィルムの貼付における工数が掛かるという課題がある。
また、電気光学パネルと光学フィルムとを互いの光学軸を基準として貼り合わせる装置構成を特許文献４の貼付装置に導入し、電気光学パネルに対して光学フィルムを平面的に回転させた位置で貼り付ける場合、相互の外形を基準として貼付を行わないので、貼付時の位置ずれを防止する必要があった。
【課題を解決するための手段】
【００１０】
本発明は、上述の課題の少なくとも一部を解決するためになされたものであり、以下の形態または適用例として実現することが可能である。
【００１１】
［適用例１］本適用例の光学フィルムの貼付装置は、粘着面と非粘着面とを有する四角形の光学フィルムを板状の被着体の表面に貼り付ける光学フィルムの貼付装置であって、前記光学フィルムが吸着される保持面を有し、前記光学フィルムの一方の辺部が前記保持面からはみ出た状態で前記光学フィルムの前記非粘着面側が前記保持面に吸着保持されるフィルム保持部と、前記光学フィルムの外形を基準とした光学軸の所定の角度に対する実際の角度との差に基づいて、前記光学フィルムの平面的な中心を回転中心として前記フィルム保持部を前記保持面内で回転させる回転機構と、前記被着体が載置され吸着保持される載置面を有する被着体保持部と、前記被着体の表面に対して前記光学フィルムの前記粘着面が傾斜して対向するように前記フィルム保持部と前記被着体保持部とを配置して、前記光学フィルムの前記一方の辺部を前記被着体の貼付開始位置に位置決めする配置機構と、前記光学フィルムを前記被着体側に押圧可能であって、回転自在に支持された貼付ローラーと、前記貼付ローラーにより前記一方の辺部の背面側から前記光学フィルムが前記被着体に押圧された状態で前記被着体保持部を前記貼付開始位置から少なくとも貼付終了位置まで移動させる移動機構と、を備えたことを特徴とする。
【００１２】
この構成によれば、外形に対する光学軸の角度が既知の光学フィルムをフィルム保持部の保持面に吸着させた状態で、回転機構により光学軸が所望の角度となるように回転させることができる。そして、配置機構により光学フィルムと被着体とを貼付開始位置に位置合わせし、互いの外形を基準として貼付ローラーにより貼付することができる。すなわち、光学軸の光学的な位置合わせを多用することなく、被着体に対して光学フィルムを精度よく貼り付けすることができる光学フィルムの貼付装置を提供することができる。
【００１３】
［適用例２］上記適用例の光学フィルムの貼付装置において、前記フィルム保持部は、前記光学フィルムが吸着保持される際に、前記光学フィルムの前記一方の辺部と交わる少なくとも１辺部が当接するガイド部を備えていることが好ましい。
この構成によれば、貼付開始位置に光学フィルムの一方の辺部と被着体とが位置合わせされた後に貼付ローラーにより貼付を行う際に、光学フィルムの一方の辺部と交わる少なくとも１辺部がガイド部によって案内されながら貼り付けられる。したがって、ガイド部により外形に対して所望の光学軸の角度に姿勢が制御された状態を保って光学フィルムを被着体の貼付することができる。すなわち、貼付時の被着体に対する光学フィルムのずれを防止して、より高い貼付位置精度を実現できる。
【００１４】
［適用例３］上記適用例の光学フィルムの貼付装置において、前記回転機構は、前記ガイド部を前記光学フィルムの平面的な中心を回転軸として回転させるとしてもよい。
【００１５】
［適用例４］上記適用例の光学フィルムの貼付装置において、前記フィルム保持部は、保持された前記光学フィルムの前記光学軸の角度を光学的に検出するための照射光が前記光学フィルムを透過可能な第１透過部が前記保持面に選択的に設けられているとしてもよい。
この構成によれば、光学フィルムを保持面に吸着保持した状態で外形に対する光学軸の角度を光学的に検出し、その結果に基づいて回転機構を駆動することにより光学フィルムの光学軸を所望の角度とすることができる。
【００１６】
［適用例５］上記適用例の光学フィルムの貼付装置において、前記光学フィルムが偏光体であり、前記被着体が液晶パネルであって、前記被着体保持部は、保持された前記液晶パネルの光学軸の角度を光学的に検出するための照射光が前記液晶パネルを透過可能な第２透過部が前記載置面に選択的に設けられ、前記配置機構により、前記フィルム保持部と前記被着体保持部とが傾斜して対向配置されたときに、光軸が前記第１透過部と前記第２透過部とを通過するように前記照射光を照射する光源と、前記光軸上であって前記第１透過部または前記第２透過部を臨む位置に設けられた受光部と、前記光源と前記受光部との間の前記光軸上であって、前記載置面に対して前記フィルム保持部の反対側に配置された光学軸方向が既知のマスター偏光子と、をさらに備えたことを特徴とする。
この構成によれば、マスター偏光子と液晶パネルと偏光体とを透過した照射光の強度を受光部で計測することにより、液晶パネルの光学軸に対して偏光体の光学軸が所望の角度となるようにさらに調整が可能となる。すなわち、偏光体自体と、液晶パネルと偏光体との２回の光学軸の検出と光学的な位置合わせにより、より高精度な偏光体の貼付を実現することが可能な光学フィルムの貼付装置を提供することができる。
【００１７】
［適用例６］本適用例の光学フィルムの貼付方法は、粘着面と非粘着面とを有する四角形の光学フィルムを板状の被着体の表面に貼り付ける光学フィルムの貼付方法であって、前記光学フィルムが吸着される保持面に対し、前記光学フィルムの一方の辺部が前記保持面からはみ出た状態で前記光学フィルムの前記非粘着面側を前記保持面に吸着保持するフィルム保持工程と、前記光学フィルムの前記粘着面と前記被着体の表面とが傾斜して対向するように配置して、前記光学フィルムの前記一方の辺部を前記被着体の貼付開始位置に位置決めする位置決め工程と、回転自在に保持された貼付ローラーを用いて、前記貼付開始位置に位置決めされた前記光学フィルムの前記一方の辺部から対向する他方の辺部まで背面側から前記光学フィルムを前記被着体側に押圧して貼り付ける貼付工程と、を備え、前記フィルム保持工程は、前記光学フィルムの外形を基準とした光学軸の所定の角度に対する実際の角度との差に基づいて、前記光学フィルムの平面的な中心を回転中心として前記光学フィルムを前記保持面内で回転させることを特徴とする。
【００１８】
この方法によれば、保持面に吸着保持された光学フィルムの光学軸を所定の角度とした上で、互いの外形を基準として貼付開始位置に位置合わせして被着体の表面に精度よく光学フィルムを貼付することができる。よって、互いの光学軸を基準として光学フィルムを被着体に貼り付ける場合に比べて、工数を低減して貼付することができる。
【００１９】
［適用例７］上記適用例の光学フィルムの貼付方法において、前記保持面は、前記光学フィルムが吸着保持される際に、前記光学フィルムの前記一方の辺部と交わる少なくとも１辺部が当接するガイド部を備え、前記貼付工程は、前記少なくとも１辺部が前記ガイド部に案内されながら、前記光学フィルムを前記被着体の表面に貼付することが好ましい。
この方法によれば、貼付時に光学フィルムの少なくとも１辺部がガイド部により案内されるので、所望の光学軸の角度を安定的に維持して光学フィルムを被着体に貼付することができる。すなわち、貼付時の光学フィルムのずれを防止し、高い位置精度で貼付することができる。
【００２０】
［適用例８］上記適用例の光学フィルムの貼付方法において、前記光学フィルムが前記保持面に吸着された状態で、前記光学フィルムの光学軸の前記実際の角度を光学的に検出する検出工程をさらに備えたことを特徴とする。
この方法によれば、検出工程で検出された光学軸の角度に基づいて所望の角度となるように光学フィルムを回転させ、位置合わせして被着体に貼付することができる。
【００２１】
［適用例９］上記適用例の光学フィルムの貼付方法において、前記光学フィルムが偏光体であり、前記被着体が液晶パネルであって、前記位置決め工程は、前記偏光体の前記粘着面と前記液晶パネルの表面とが傾斜して対向するように配置すると共に、前記偏光体に対して前記液晶パネルを挟んだ反対側に光学軸方向が既知のマスター偏光子をさらに対向配置して、前記偏光体と前記液晶パネルと前記マスター偏光子とを透過するように光を照射し、透過した光の強度を測定することにより前記偏光体の光学軸と前記液晶パネルの光学軸とが所定の配置となるように、前記偏光体と前記液晶パネルとの相対的な位置をさらに光学的に位置決めする工程を含むことが好ましい。
この方法によれば、マスター偏光子と液晶パネルと偏光体とを透過した照射光の強度を受光部で計測することにより、液晶パネルの光学軸に対して偏光体の光学軸が所望の角度となるようにさらに調整が可能となる。すなわち、偏光体自体と、液晶パネルと偏光体との２回の光学軸の検出と光学的な位置合わせにより、より高精度に偏光体を液晶パネルに貼付が可能な光学フィルムの貼付方法を提供することができる。
【００２２】
［適用例１０］上記適用例の光学フィルムの貼付方法において、前記光学フィルムとしての前記偏光体は、偏光子と光学補償フィルムとを含むとしてもよい。
光学補償フィルムとしては、液晶パネルの視角特性や色付きを改善する位相差板などが挙げられる。すなわち、より優れた光学特性を有する液晶装置を製造することができる。
【発明を実施するための最良の形態】
【００２３】
以下、本発明を具体化した実施形態について図面に従って説明する。なお、使用する図面は、説明する部分が認識可能な状態となるように、適宜拡大または縮小して表示している。
【００２４】
（実施形態１）
＜液晶装置＞
まず、本実施形態の光学フィルムの貼付装置および光学フィルムの貼付方法を適用する電気光学装置としての液晶装置について、図１〜図３を参照して簡単に説明する。図１は液晶装置の構成を示す概略図であり、同図（ａ）は分解斜視図、同図（ｂ）は正面図である。
【００２５】
図１（ａ）に示すように、液晶装置１０は、ガラス等の透明基板からなる一対の基板１，２と、一対の基板１，２により挟持された液晶層（図示省略）とを有する液晶パネル３を備えている。
液晶パネル３において、基板１は基板２よりも大きく、基板１の端子部１ａが基板２の一方の辺部より突出するように、基板１と基板２とが接合されている。端子部１ａの表面には、液晶層を駆動するための駆動用ＩＣ６と、外部電気回路との接続を図るフレキシブルな中継基板７とが平面実装されている。
【００２６】
基板２の表面２ａには光学フィルムとしての偏光板４が貼り付けられる、また表面２ａの反対側で裏面となる基板１の表面１ｂには同じく光学フィルムとしての偏光板５が貼り付けられる。
【００２７】
図１（ｂ）に示すように、液晶装置１０を正面から見ると、表示領域を含む所謂見切り領域は、表示領域の中心３ｃに対して上下および左右（Ｘ軸，Ｙ軸方向）が均等割り振りされている。表示領域の中心３ｃの位置は、液晶パネル３のＸ軸方向における幅の中央となっている。
偏光板外形は、見切り領域を十分覆うように平面的な寸法が余裕を持って設定されている。また、液晶パネル３の外形のばらつきや偏光板４，５の貼付位置精度等を考慮して、液晶パネル３の長手方向の基準辺３ａから距離ｘ１の間隔が空くように、また短手方向の基準辺３ｂから距離ｙ１の間隔が空くように、液晶パネル３よりも一回り小さく設定されている。
【００２８】
このような液晶装置１０は、透過型であって、例えば、偏光板５の背面側に液晶パネル３を照明する照明装置（図示省略）を装備して用いられる。照明装置は、例えば光源としてＬＥＤ、ＥＬ、冷陰極管などを用い、これらの光源からの光を液晶パネル３に向かって射出することができる導光板や拡散板、反射板などの構成を備えている。
【００２９】
なお、液晶装置１０は、画素を構成する電極を駆動制御する手段として一方の基板側に例えば薄膜トランジスタなどのスイッチング素子を備えたアクティブ型や、画素を構成する電極が一対の基板１，２において互いに交差するように配置されるパッシブ型の液晶装置でもよい。また、透過型に限定されず、偏光板５が半透過反射タイプあるいは液晶パネル３の内面に反射層を有する反射型または半透過反射型の液晶装置でもよい。
【００３０】
次に、液晶装置１０における光学設計について図２を参照して説明する。図２（ａ）および（ｂ）は液晶装置の光学設計を示す模式図であり、同図（ａ）はノーマリーブラックの例、同図（ｂ）はノーマリーホワイトの例を示すものである。
【００３１】
図２（ａ）に示すように、例えば、ＴＮ（Twist  Nematic）型の液晶パネル３を挟んで偏光板４，５を対向配置する。偏光板４，５の光学軸（透過軸または吸収軸）は、平面的に同一方向となっている（このような配置をパラレルニコルと呼ぶ）。
液晶パネル３の光学軸は、液晶層における液晶分子をどのように配向させツイストさせるかによる。
同図（ａ）では、偏光板５の透過軸の方向と、液晶パネル３の一方の基板１における配向処理方向とが合致している。基板２の配向処理方向と基板１の配向処理方向とは直交している。
したがって、非駆動時において、偏光板５側から照射された光は、偏光板５により直線偏光に変換されて液晶パネル３に入射する。入射した直線偏光は、液晶層で９０°旋光し基板２側から射出するも、偏光板４の透過軸と直交するためこれを透過することができない。このように、非駆動時において所謂黒表示状態となる表示モードをノーマリーブラックと呼ぶ。
【００３２】
これに対して、図２（ｂ）に示すように、例えば、ＴＮ（Twist  Nematic）型の液晶パネル３を挟んで透過軸が直交するように偏光板４，５を対向配置する（このような配置をクロスニコルと呼ぶ）。
同図（ｂ）では、偏光板５の透過軸の方向と、液晶パネル３の基板１における配向処理方向とが合致している。基板２の配向処理方向と基板１の配向処理方向とは直交している。
したがって、非駆動時において、偏光板５側から照射された光は、偏光板５により直線偏光に変換されて液晶パネル３に入射する。入射した直線偏光は、液晶層で９０°旋光し基板２側から射出する。射出された直線偏光は、偏光板４の透過軸に沿って振動しているのでこれを透過する。このように、非駆動時において所謂白表示状態となる表示モードをノーマリーホワイトと呼ぶ。
【００３３】
上記表示モードの構成は例示であって、これに限定されるものではない。例えば、液晶パネル３における液晶分子の配向を垂直配向とした場合には、偏光板４，５がクロスニコルのときにノーマリーブラックとなり、偏光板４，５がパラレルニコルのときにノーマリーホワイトとなる。
【００３４】
液晶装置１０は、後述する本実施形態の光学フィルムの貼付装置および光学フィルムの貼付方法を用いて、液晶パネル３に偏光板４，５が貼り付けられており、表示モード（光学設計）に基づいて液晶パネル３に対して偏光板４，５が光学的に高い位置精度で配置されている。したがって、所望の光学特性（コントラストなど）が得られ高い表示品質を有する。
【００３５】
＜光学フィルム＞
次に、光学フィルムとしての偏光板について図３を参照して説明する。図３は偏光板の構成の１例を示す斜視図である。
【００３６】
図３に示すように、光学フィルムとしての偏光板は、複数の光学機能性フィルムが積層されたものであって、例えば、光学異方性を示す光学軸を有する偏光板と、偏光板の一方の表面を覆う保護フィルムと、偏光板の他方の表面に設けられた粘着層と、粘着層を覆う離型フィルムとを備えたものが挙げられる。このような構成を備えたものを偏光板と呼ぶこともあるが、粘着層がない場合などと区別するために、このような複数の光学機能性フィルムからなるものを偏光体と呼ぶこともある。
【００３７】
偏光板は、偏光子である偏光フィルムと、これを両面から支持する支持フィルムとからなる。偏光フィルムは、例えば１軸延伸されたＰＶＡ（ポリビニルアルコール）フィルムをヨウ素などの二色性色素で染色したものである。偏光フィルム単独では、水分や酸素などの影響を受けて偏光機能が低下するため、光学的に等方で高い透明性と耐久性とを兼ね備える支持フィルム、例えばＴＡＣ（トリアセテート）フィルムにより挟み込まれている。
【００３８】
保護フィルムは、偏光板の損傷や汚染を防止するために設けられ、例えば、自己粘着タイプならばポリエステルフィルムなどが好んで用いられている。偏光板の表面に表面反射を防止するためのアンチグレア処理などが施されている場合には、粘着処理が施されたＰＥＴ（ポリエチレンテレフタレート）フィルムが用いられることもある。
【００３９】
粘着層は、ガラスなどの基板の表面に偏光板を貼り付けることを想定して、アクリル系粘着材が好んで用いられている。
【００４０】
離型フィルムは、粘着層を保護するものであって、当然ながら被着体である液晶パネル３に貼り付ける前に除去される。また、離型処理が施されたＰＥＴフィルムが好んで用いられている。
【００４１】
これらの保護フィルムや離型フィルムは、上記したプラスチック樹脂材料を用いて加圧成形や押し出し成形などの方法により加工され、さらに、所定の厚みを有するフィルムとするために１軸あるいは２軸延伸されたものが用いられている。
【００４２】
＜光学フィルムの貼付装置＞
次に、本実施形態の光学フィルムの貼付装置について図４〜図６を参照して説明する。図４（ａ）は貼付装置の構成を示す概略側面図、同図（ｂ）は真上から見た概略平面図、図５（ａ）はフィルム保持部を示す斜視図、同図（ｂ）は保持面を示す平面図、図６（ａ）は被着体保持部の構成を示す斜視図、同図（ｂ）は載置面を示す平面図である。
【００４３】
図４（ａ）に示すように、本実施形態の光学フィルムの貼付装置１００は、光学フィルムとしての偏光板４（または偏光板５）の非粘着面側を吸着保持するフィルム保持部としてのフィルムステージ１０８と、被着体としての液晶パネル３を載置して吸着保持する被着体保持部としてのパネルステージ１０３と、偏光板４を液晶パネル３に押圧可能な貼付ローラー１１５とを備えている。
図４（ａ）および（ｂ）に示すように、パネルステージ１０３とフィルムステージ１０８とは、貼付ローラー１１５を挟んで、細長い基台１０１の長手方向（Ｙ軸方向）に沿って直線的に基台１０１上に配設されている。
【００４４】
具体的には、同図（ｂ）に示すように、基台１０１上には、短手方向に並行し、長手方向（Ｙ軸方向）に延在する一対のガイドレール１０２が設けられ、ガイドレール１０２上をＹ軸方向に移動可能な状態でパネルステージ１０３が設けられている。パネルステージ１０３を移動させる移動機構（図示省略）としては、空気圧や油圧を用いたシリンダーやボールネジとモーターとの組み合わせ等を用いることができる。
【００４５】
基台１０１の長手方向（Ｙ軸方向）におけるほぼ中央部に一対のガイドレール１０２を跨いで一対の支持部１０４が設けられている。同図（ａ）に示すように、側面視で四角形の支持部１０４の上端のパネルステージ１０３側に貼付ローラー１１５が回転自在に支持されている。
貼付ローラー１１５は、支持部１０４の上端側から切り欠かれた溝に高さ方向（Ｚ軸方向）の調整が可能な状態で取り付けられた軸受けにより、ガイドレール１０２を跨ぐように支持されている。軸受けはＺ軸方向において、下方側に（ガイドレール１０２側に）バネ等の弾性部材で付勢されている。
【００４６】
フィルムステージ１０８は、同図（ｂ）に示すように平面視でコの字型の受け部１０５に保持面が上方を向くように取り付けられている。受け部１０５は、支持部１０４側に延びた２本のアーム部１０５ａ，１０５ｂを有する。アーム部１０５ａ，１０５ｂはそれぞれ支持部１０４の壁面を貫通する回転軸１０５ｃ，１０５ｄにより支持されている。受け部１０５は、回転軸１０５ｃ，１０５ｄを中心にしてパネルステージ１０３側に回転させることができ、フィルムステージ１０８とパネルステージ１０３とを所定の角度で傾斜させ対向配置させることができるようになっている。
【００４７】
フィルムステージ１０８は、受け部１０５に取り付けられる平板状の基部１０６と、基部１０６の一方の面に取り付けられた保持部１０７と、基部の他方の面に取り付けられた回転機構としてのモーター１１０とを有する。
基部１０６は、受け部１０５に対して支持部１０４側（Ｙ軸方向）に移動可能な状態で取り付けられている。また、受け部１０５の取付面に対してＸ軸方向とＹ軸方向の位置を微調整できる構成となっている。
すなわち、受け部１０５と、受け部１０５を回転可能に支持する支持部１０４と、基部１０６を受け部１０５に対して支持部１０４側に移動可能な構成は、パネルステージ１０３に対してフィルムステージ１０８を傾斜させ対向配置させると共に、液晶パネル３の貼付開始位置に偏光板４を位置決めする配置機構を構成するものである。
【００４８】
図５（ａ）に示すように、保持部１０７は、偏光板４の非粘着面を保持する保持面１０７ａと、保持面１０７ａと一体的に設けられ、保持面１０７ａに保持される偏光板４の長辺側をガイド（案内）するガイド部１０９ａと、偏光板４の短辺側をガイド（案内）するガイド部１０９ｂとが形成された突出部１０９とを有する。
【００４９】
図５（ｂ）に示すように、フィルムステージ１０８は、保持面１０７ａのガイド部１０９ａ，１０９ｂに沿って偏光板４を保持すると、偏光板４の一方の短辺部が保持面１０７ａから突出するように保持面１０７ａに対して突出部１０９が設けられている。保持面１０７ａに対する突出部１０９の高さは、保持される偏光板４の厚みとほぼ同等か、それよりもやや小さい値となっている。
【００５０】
保持面１０７ａには、偏光板４を吸着保持するための複数の吸着孔１０７ｂが設けられている。複数の吸着孔１０７ｂは、ガイド部１０９ａに沿って偏光板４がスライドした場合でも、これを保持できるように、偏光板４の短辺方向に配列する吸着孔１０７ｂが流路で結ばれるとともに、それぞれ独立して吸着制御可能な状態で真空ポンプなどの減圧手段に接続されている。
【００５１】
モーター１１０は、保持面のほぼ中央付近の点１１１を中心に保持部１０７を回転させるように基部１０６に取り付けられている。なお、点１１１は、保持面１０７ａに偏光板４を吸着保持したときに、偏光板４における平面的な中心と合致する位置となっている。
【００５２】
図６（ａ）に示すように、パネルステージ１０３は、立方体のステージであって、上面が液晶パネル３を載置する載置面１０３ａとなっている。載置面１０３ａには、液晶パネル３の長辺部を位置決めする２つの位置決めピン１０３ｂ，１０３ｃと、同じく液晶パネル３の短辺部を位置決めする１つの位置決めピン１０３ｄが設けられている。また、液晶パネル３を吸着するための複数の吸着孔１０３ｅが設けられている。
【００５３】
図６（ｂ）に示すように、液晶パネル３は、前述した長手方向の基準辺３ａが位置決めピン１０３ｂ，１０３ｃに当接するようにセットされる。また、短手方向の基準辺３ｂに対向する短辺部３ｄが位置決めピン１０３ｄに当接するようにセットされる。したがって、各位置決めピン１０３ｂ，１０３ｃ，１０３ｄの高さは、偏光板４の貼付に際して邪魔にならないように、当接する液晶パネル３の厚みを越えない程度の高さとなっている。
また、位置決めピン１０３ｄは短辺部３ｄに当接するため、貼付ローラー１１５に向かってパネルステージ１０３が移動し、貼付ローラー１１５により偏光板４を介して液晶パネル３が押厚されても、載置面１０３ａ上において液晶パネル３がパネルステージ１０３の移動方向と反対側に移動することを防止している。すなわち、貼付時の位置ずれを防止している。
【００５４】
載置面１０３ａに設けられた複数の吸着孔１０３ｅは、互いに流路で結ばれて真空ポンプなどの減圧手段に接続される。
【００５５】
なお、パネルステージ１０３は、載置面１０３ａに載置される液晶パネル３の厚みに応じて、載置面１０３ａの高さ方向（Ｚ軸方向）の位置が調整可能な機構を備えることが望ましい。また、載置面１０３ａのＸ軸方向およびＹ軸方向の位置を微調整可能な機構を備えることが望ましい。
【００５６】
＜光学フィルムの貼付方法＞
次に、貼付装置１００を用いた光学フィルムとしての偏光板の貼付方法について、図７〜図１０を参照して説明する。図７は偏光板の貼付方法を示すフローチャート、図８は偏光板の外形に対する透過軸の方向を検出する方法を示す概略図、図９（ａ）〜（ｄ）は偏光板の貼付方法を示す概略図、図１０（ａ）および（ｂ）は偏光板の位置決め方法を示す概略平面図である。
【００５７】
図７に示すように、本実施形態の偏光板の貼付方法は、偏光板４の外形に対する透過軸の方向を検出する検出工程（ステップＳ１）と、フィルムステージ１０８に偏光板４を吸着保持するフィルム保持工程（ステップＳ２）と、パネルステージ１０３に対してフィルムステージ１０８を傾斜させて対向配置する配置工程（ステップＳ３）と、液晶パネル３と偏光板４とを位置決めする位置決め工程（ステップＳ４）と、液晶パネル３に偏光板４を貼り付ける貼付工程（ステップＳ５）とを備えている。
【００５８】
図７のステップＳ１は、透過軸の検出工程である。ステップＳ１では、図８に示すように、例えば、光学軸である透過軸の方向が外形に対して既知であるマスター偏光子と、検出対象の偏光板とを互いの透過軸が直交するように対向配置する。マスター偏光子の背面側に光源を配置して、マスター偏光子と偏光板とを透過するように光を照射する。透過した光の強度を受光部で計測する。
【００５９】
マスター偏光子としては、光学軸の方向が予め既知の偏光板そのものを用いることができる。これ以外にも、一般的な偏光板よりも高い偏光度が得られるものが好ましく、例えばワイヤーグリッド偏光子、ブリュスター角を用いた石英積層板、プリズムなどを挙げることができる。
【００６０】
光源としては、可視光波長の光を直進性を有して射出するものが好ましく、例えば半導体レーザーやＬＥＤを用いることができる。また、受光部としては、例えばマルチフォトメーターなどを用いることができる。
【００６１】
互いの外形を基準として対向配置されたマスター偏光子の透過軸と、偏光板の透過軸とが確実に直交していれば、マスター偏光子を透過して直線偏光に変換された光は検出対象の偏光板を透過しない。互いの透過軸が直交状態からわずかでもずれていると、直線偏光が偏光板をわずかに透過する。すなわち、透過した光の強度が最小となるようにマスター偏光子に対して偏光板を回転させることにより、偏光板の外形に対する透過軸の角度が設計値に対してどの程度ずれているかが判明する。このときのずれ量をΔθｔとして検出する。このような検出方法によれば、複数の偏光板を実際の透過軸の角度に応じて分類あるいは所定の角度範囲を有するものに選別することが可能である。そして、ステップＳ２へ進む。
【００６２】
図７のステップＳ２は、フィルム保持工程である。ステップＳ２では、図５（ｂ）に示すように、フィルムステージ１０８の保持面１０７ａにおいて、長辺部と短辺部とがそれぞれ対応するガイド部１０９ａ，１０９ｂに当接するように偏光板４を吸着保持する。そして、ステップＳ１で得られた透過軸のずれ量Δθｔの情報に基づいて、透過軸の角度が設計上の値となるように、点１１１を中心に保持部１０７を回転させる。つまり、透過軸の角度補正を行う。ずれ量Δθｔは言い換えれば角度補正量Δθｔである。当然ながら角度の補正方向は、ずれ方向と反対向きである。そして、ステップＳ３へ進む。
【００６３】
図７のステップＳ３は、配置工程である。ステップＳ３では、図９（ａ）に示すように、フィルムステージ１０８が設けられた受け部１０５を回転軸１０５ｄ（１０５ｃ）を中心にパネルステージ１０３側に回転させる。これにより、液晶パネル３に対して透過軸の角度補正がなされた偏光板４が所定の角度θで傾斜して配置される。
【００６４】
なお、図３に示したように、偏光板の粘着面は離型フィルムにより保護されている。したがって、粘着面に異物などが付着しないようにするには、配置工程によってフィルムステージ１０８に吸着保持された偏光板４とパネルステージ１０３に載置された液晶パネル３とが傾斜して対向配置された後に、離型フィルムを剥がすことが好ましい。離型フィルムを剥がす構成としては、粘着性のローラーを離型フィルムに接触させて巻き取る方法などが挙げられる。そして、ステップＳ４へ進む。
【００６５】
図７のステップＳ４は、位置決め工程である。ステップＳ４では、図９（ｂ）に示すように、パネルステージ１０３とフィルムステージ１０８とを貼付ローラー１１５に向かって移動させ、偏光板４と液晶パネル３とを貼付開始位置に位置決めする。貼付開始位置は、フィルムステージ１０８から突出した偏光板４の一方の短辺部が貼付ローラー１１５により液晶パネル３側に押圧開始される位置である。
【００６６】
詳しくは、図１０（ａ）に示すように、実際には、フィルムステージ１０８に保持された偏光板４は透過軸の角度補正がなされているため、平面的には偏光板外形基準に対して角度補正量Δθｔ分傾斜して配置される。その際には、偏光板４の平面的な中心を回転軸として角度補正がなされるので、液晶パネル３の基準辺３ｂから距離ｙ１内側に入った偏光板外形の短辺部の中央が位置決め基準として用いられる。
【００６７】
位置決め基準は、例えば、ＣＣＤなどの撮像素子を備えたカメラによって認識する。そして、偏光板４の一方の短辺部が液晶パネル３の位置決め基準と当接するように、パネルステージ１０３を貼付ローラー１１５側に移動させると共に、フィルムステージ１０８をパネルステージ１０３側に向かって移動させる。偏光板４の一方の短辺部（粘着面側）が液晶パネル３の表面に当接した状態で貼付ローラー１１５に該短辺部の背面側を接触させる。
【００６８】
実際には、図９（ｂ）に示すように、貼付開始位置は、パネルステージ１０３を上方から見ると貼付ローラー１１５により隠れてしまうので、偏光板４の一方の短辺部が液晶パネル３の上記位置決め基準において重なるように、予め受け部１０５におけるフィルムステージ１０８のＸ軸方向およびＹ軸方向の位置をパネルステージ１０３や貼付ローラー１１５に対して調整しておく。
【００６９】
なお、位置決め基準は、これに限定されず、図１０（ｂ）に示すように、偏光板外形基準のコーナ部を位置決め基準として採用してもよい。このようにすれば、液晶パネル３の基準辺３ａから距離ｘ１、基準辺３ｂから距離ｙ１、内側に入った点を基準として視野角が狭いカメラでも容易に位置決め基準を認識することができる。そして、ステップＳ５へ進む。
【００７０】
図７のステップＳ５は、貼付工程である。ステップＳ５では、図９（ｃ）および（ｄ）に示すように、パネルステージ１０３を貼付開始位置から貼付終了位置まで移動させることにより、貼付ローラー１１５により偏光板４を液晶パネル３に押圧して貼付することができる。偏光板４は、フィルムステージ１０８に吸着保持されているものの、貼り付けの進行に伴って保持面１０７ａをスライドしてゆく。すなわち、偏光板４はスライド可能な程度で複数の吸着孔１０７ｂにより真空吸着され、ガイド部１０９ａにより長辺部がガイド（案内）され、液晶パネル３の表面に貼り付けられる。
【００７１】
また、偏光板４が液晶パネル３に対して所定の角度θを保った状態で貼り付けられるので、偏光板４の粘着面と貼付面との間に気泡を巻き込むことが防止されている。
【００７２】
上記実施形態１の貼付装置１００を用いた偏光板４の貼付方法によれば、偏光板４と液晶パネル３のそれぞれの外形を基準としつつ、透過軸を設計上の方向に合致させ、高い位置精度で偏光板４を液晶パネル３の一方の表面に貼付することができる。
【００７３】
なお、液晶パネル３に偏光板４，５を貼り付ける順番は、偏光板４から始めることに限定されない。すなわち、偏光板５を先に貼り付けてもよい。また、偏光板４を液晶パネル３に貼り付けた後に、液晶パネル３の他方の表面に偏光板５を貼り付ける場合も、偏光板４の貼付方法を適用できることは言うまでもない。
【００７４】
（実施形態２）
＜他の光学フィルムの貼付装置＞
次に、本実施形態の他の光学フィルムの貼付装置について、図１１〜図１３を参照して説明する。図１１（ａ）および（ｂ）は実施形態２の偏光板の貼付装置を示す概略図、図１２（ａ）および（ｂ）は実施形態２のフィルム保持部を示す概略図、図１３（ａ）および（ｂ）は実施形態２の被着体保持部を示す概略図である。なお、上記実施形態１と同一の構成の部分には、同一の符号を付して説明を省略するものである。
【００７５】
図１１（ａ）および（ｂ）に示すように、本実施形態の光学フィルムとしての偏光板の貼付装置１５０は、上記実施形態１の貼付装置１００に対して、以下の構成をさらに備えていることが異なっている。
【００７６】
具体的には、基台１０１上のパネルステージ１０３は、載置された液晶パネル３を臨む位置に設けられた光源１５２と、載置面と光源１５２との間の光軸上に設けられたマスター偏光子１５３と、光軸上において載置面に設けられた第２透過部としての孔１０３ｆとを有している。また、孔１０３ｆを臨む位置に設けられた受光部１５４を有している。
【００７７】
受け部１０５において保持面が上方に向くように配置されたフィルムステージ１０８に保持される偏光板４（偏光板５）を臨む位置に設けられた光源１５５と、フィルムステージ１０８と光源１５５との間の光軸上に設けられたマスター偏光子１５６と、光軸上においてフィルムステージ１０８に設けられた第１透過部としての孔１０７ｃとを有する。また、孔１０７ｃを臨む位置に設けられた受光部１５７を有している。
【００７８】
光源１５２，１５５は、前述したように照射光が直線性を有する、例えば半導体レーザーやＬＥＤが好ましい。マスター偏光子１５３，１５６は、偏光板でもよいが、それよりも高い偏光度が得られる、例えばワイヤーグリッド偏光子、ブリュスター角を用いた石英積層板などが好ましい。受光部１５４，１５７は、例えばマルチフォトメーターを用いることができる。受光部は、２つの光源１５２，１５５に対応するように２つ設けずとも、１つの受光部を孔１０３ｆと孔１０７ｃとを臨む位置に移動可能な構成としてもよい。また、光源１５２，１５５と受光部１５４，１５７の配置を入替えてもよい。
【００７９】
図１２（ａ）に示すように、フィルム保持部としてのフィルムステージ１０８の保持面１０７ａに設けられた孔１０７ｃは、保持部１０７と基部１０６とに亘って、基部１０６側の開口が大きくなるように円錐台状に貫通している。また、図１２（ｂ）に示すように、偏光板４の平面的な中心に相当する保持部１０７の回転中心から外れた位置に設けられている。詳しくは、後述する偏光板の貼付方法において述べるが、パネルステージ１０３に対してフィルムステージ１０８を傾斜させて対向配置したときに、パネルステージ１０３に設けられた孔１０３ｆを臨む位置に孔１０７ｃを配置できるように、孔１０７ｃがフィルムステージ１０８に設けられている。
【００８０】
図１３（ａ）に示すように、被着体保持部としてのパネルステージ１０３は、光源１５２と、マスター偏光子１５３とを内蔵している。載置面１０３ａにおいて開口する孔１０３ｆは、載置される液晶パネル３の液晶層を臨むことが可能な位置に設けられている。言い換えれば、光源１５２から照射される光がマスター偏光子１５３を介して液晶パネル３の液晶層に入射するように構成されている。マスター偏光子１５３は光学軸（透過軸）の角度が調整可能な状態で光軸上に設けられている。
【００８１】
図１３（ｂ）に示すように、孔１０３ｆは、載置面１０３ａの平面的な中心から外れる位置に設けられているが、好ましくは液晶層の平面的な中心がよい。
【００８２】
＜他の光学フィルムの貼付方法＞
次に、貼付装置１５０を用いた他の光学フィルムの貼付方法としての偏光板４の貼付方法について、図１４および図１５を参照して説明する。図１４は実施形態２の偏光板の貼付方法を示すフローチャート、図１５（ａ）および（ｂ）は実施形態２の偏光板の貼付方法を示す概略図である。
【００８３】
図１４に示すように、本実施形態の偏光板４の他の貼付方法は、フィルムステージ１０８に光学フィルムとしての偏光板４を吸着保持するフィルム保持工程（ステップＳ１１）と、液晶パネル３が載置されたパネルステージ１０３に対してフィルムステージ１０８を傾斜させ対向配置する配置工程（ステップＳ１２）と、液晶パネル３と偏光板４とを光学的に位置決めする光学位置決め工程（ステップＳ１３）と、貼付開始位置に液晶パネル３と偏光板４とを位置決めする外形位置決め工程（ステップＳ１４）と、液晶パネル３に偏光板４を貼り付ける貼付工程（ステップＳ１５）とを備えている。
【００８４】
図１４のステップＳ１１は、フィルム保持工程である。ステップＳ１１では、図１５（ａ）に示すように、まず、保持面１０７ａに偏光板４を吸着保持する。続いて、マスター偏光子１５６と偏光板４とを透過するように光源１５５から光を照射する。マスター偏光子１５６の透過軸は、予め保持される偏光板４の透過軸に対して直交するように設定されている。マスター偏光子１５６と偏光板４とを透過した光の強度を受光部１５７を用いて測定する。透過した光の強度が最小となるようにモーター１１０を駆動して保持部１０７を点１１１を中心に回転させる。これにより、偏光板４の外形に対する透過軸の角度が設計値に対してずれていても角度補正を行うことができる。
【００８５】
上記実施形態１の偏光板４の貼付方法では、予め光学的に透過軸の方向を検出した情報に基づいて偏光板４を回転させたが、本実施形態では、貼付直前に偏光板４ごとの透過軸の方向を光学的に検出して角度補正する点が異なる。装置の構成は複雑になるものの、都度、透過軸の角度補正を行うため、角度補正の設定を間違えるようなミスは撲滅できるという利点がある。そして、ステップＳ１２へ進む。
【００８６】
図１４のステップＳ１２は、配置工程である。ステップＳ１２では、液晶パネル３が載置されたパネルステージ１０３に対して、フィルムステージ１０８が所定の角度θで傾斜して対向配置されるように受け部１０５を回転させる。すなわち、上記実施形態１における配置工程（ステップＳ３）と同じである。そして、ステップＳ１３へ進む。
【００８７】
図１４のステップＳ１３は、光学位置決め工程である。ステップＳ１３では、図１５（ｂ）に示すように、光源１５２から射出されマスター偏光子１５３により直線偏光に変換された光が液晶パネル３に入射する。入射した直線偏光は、液晶パネル３の光学設計に基づいて射出され、フィルムステージ１０８に吸着保持された偏光板４に入射する。前述したように、表示モードがノーマリーブラックであれば、マスター偏光子はそれに対応した透過軸の方向に設定されている。したがって、孔１０７ｃを臨む光学軸上に配置された受光部１５４により、偏光板４を透過する光の強度を測定すれば、光学的に液晶パネル３と偏光板４とが適正な配置となっているかが分かる。偏光板４はすでに透過軸の角度補正がなされた状態でフィルムステージ１０８に吸着保持されているものの、液晶パネル３における光学軸は必ずしも液晶パネル３の外形に対して所定の方向となっているとは限らない。それゆえに、偏光板４を透過する光の強度を再度測定することにより、モーター１１０を駆動して保持部１０７を回転させ、透過軸をより適正な方向に微調整することが可能となる。なお、このとき、偏光板４の粘着面を覆う離型フィルムは剥がされている。そして、ステップＳ１４へ進む。
【００８８】
図１４のステップＳ１４は、外形位置決め工程であり、上記実施形態１の位置決め工程（ステップＳ４）と同一である。すなわち、液晶パネル３の外形を基準とした位置決め基準に対して、保持面１０７ａから突出した偏光板４の一方の短辺部を位置決めする。ほぼ同時に、液晶パネル３と偏光板４とを貼付開始位置に位置決めする。そして、ステップＳ１５へ進む。
【００８９】
図１４のステップＳ１５は、貼付工程であり、上記実施形態１の貼付工程（ステップＳ５）と同一である。すなわち、パネルステージ１０３を貼付開始位置から貼付終了位置まで少なくとも移動させ、貼付ローラー１１５により偏光板４を液晶パネル３に押圧して貼り付ける。
【００９０】
以上に述べた上記実施形態２の偏光板４の貼付方法によれば、フィルム保持工程（ステップＳ１１）で一旦透過軸の角度補正を行った後に、光学位置合わせ工程（ステップＳ１３）で再び液晶パネル３に対して光学的に透過軸の方向を微調整できるので、より高精度に偏光板４を液晶パネル３の表面に貼付することが可能となる。また、光学位置合わせ工程（ステップＳ１３）を偏光板４の離型フィルムを剥がした貼り付け直前で行うため、光の強度測定に対する離型フィルムの影響を排除できる。
【００９１】
上記実施形態１および上記実施形態２における偏光板４の貼付方法は、コントラストなどの光学特性が、液晶パネル３と偏光板４，５との透過軸のずれによって左右され易い所謂横電界型のＦＦＳ（Fringe  Field  Switching  mode）方式やＩＰＳ（In  Place  Switching）方式の液晶装置１０に適用することにより、高いコントラストを安定的に得られるという優れた効果を奏する。
【００９２】
上記実施形態以外にも様々な変形例が考えられる。以下、変形例を挙げて説明する。
【００９３】
（変形例１）上記実施形態１の貼付装置１００および上記実施形態２の貼付装置１５０の構成は、これに限定されない。図１６（ａ）および（ｂ）は変形例のフィルム保持部を示す概略図である。例えば、フィルム保持部としてのフィルムステージ１０８において、保持部１０７と突出部１０９とを別体とし、保持部１０７に対して突出部１０９が回転駆動される構成としてもよい。
具体的には、図１６（ａ）および（ｂ）に示すように、保持部１０７の短辺側の近傍における保持面１０７ａに点１１１を中心とする半径Ｒ２の円弧状の溝１１８を設ける。同じく、保持部１０７の長辺側の近傍における保持面１０７ａに点１１１を中心とする半径Ｒ１の円弧状の溝１１９を設ける。これらの溝１１８，１１９に対して嵌合するように突出部１０９の長辺側と短辺側のガイド部にピン１１６，１１７を挿入する。
突出部１０９の短辺側の末端部の側面をロッド１２１と結合させ、ロッド１２１を伸縮可能なアクチュエーター１２０を設ける。アクチュエーター１２０によりロッド１２１を伸縮させれば、突出部１０９は、保持面１０７ａ内において、点１１１を中心に回転する。
このような構成にすれば、第１透過部としての孔１０７ｄを偏光板４の平面的な中心、すなわち、点１１１の位置に設けることができる。したがって、透過軸の光学的な検出を偏光板４のほぼ中心において行うことができる。
【００９４】
（変形例２）上記実施形態１および上記実施形態２において、光学的に偏光板４の透過軸を検出する方法は、マスター偏光子と偏光板４とをクロスニコルの状態に配置して行うことに限定されない。パラレルニコルの状態に配置しても検出は可能である。ただし、偏光板に付帯する保護フィルムや離型フィルムがわずかに光学異方性を示す場合は、透過する光の強度が最大になる透過軸の角度検出が難しい。
このような保護フィルムや離型フィルムのわずかな光学異方性を考慮すると、上記実施形態２における偏光板４の貼付方法では、フィルムステージ１０８に設けられた孔１０７ｃに対応する位置において保護フィルムや離型フィルムを切り欠いておくことが望ましい。これにより保護フィルムや離型フィルムの影響をまったく受けずに光学的な透過軸の位置合わせが可能となる。
【００９５】
（変形例３）上記実施形態１の偏光板４の貼付装置１００およびこれを用いた貼付方法によれば、予め偏光板４を外形に対する透過軸の角度に応じて分類（層別）しておけば、分類された透過軸の角度の範囲における代表値を角度補正値として用いることができる。すなわち、一定の角度補正条件で続けて分類された偏光板４を貼付できるので、貼付作業が効率化される。
【００９６】
（変形例４）液晶パネル３に貼付される偏光板４，５の構成は、図３に示された構成に限定されない。例えば、液晶装置１０の視角特性や色付きなどを改善するために位相差板（位相差フィルム）などの光学補償フィルムを偏光子に積層した偏光板の構成としても、上記実施形態１および上記実施形態２の偏光板４の貼付方法を適用することができる。
【００９７】
（変形例５）上記実施形態１の貼付装置１００およびこれを用いた貼付方法を適用可能な電気光学装置は、液晶装置１０に限定されない。例えば、発光装置としての有機ＥＬ装置やプラズマ装置などの表面に表面反射を低減するための微細な光学素子が形成された光学フィルムを貼り付ける場合にも適用可能である。
【００９８】
（変形例６）上記実施形態２の貼付装置１５０における光源と受光部とを備えた光学軸の検出機構の配置は、これに限定されない。例えば、パネルステージ１０３側とフィルムステージ１０８側の両方に設けずに、いずれか一方に設ける構成としても、相応の貼り付け位置精度を確保することができる。
【図面の簡単な説明】
【００９９】
【図１】液晶装置の構成を示す（ａ）は分解斜視図、（ｂ）は正面図。
【図２】（ａ）は液晶装置の光学設計におけるノーマリーブラックの例を示す模式図、（ｂ）はノーマリーホワイトの例を示す模式図。
【図３】光学フィルムとしての偏光板の構成の１例を示す斜視図。
【図４】（ａ）は貼付装置の構成を示す概略側面図、（ｂ）は真上から見た概略平面図。
【図５】（ａ）はフィルム保持部を示す斜視図、（ｂ）は保持面を示す平面図。
【図６】（ａ）は被着体保持部の構成を示す斜視図、（ｂ）は載置面を示す平面図。
【図７】実施形態１の偏光板の貼付方法を示すフローチャート。
【図８】実施形態１の偏光板の外形に対する透過軸の方向を検出する方法を示す概略図。
【図９】（ａ）〜（ｄ）は実施形態１の偏光板の貼付方法を示す概略図。
【図１０】（ａ）および（ｂ）は実施形態１の偏光板の位置決め方法を示す概略平面図。
【図１１】（ａ）および（ｂ）は実施形態２の偏光板の貼付装置を示す概略図。
【図１２】（ａ）および（ｂ）は実施形態２のフィルム保持部を示す概略図。
【図１３】（ａ）および（ｂ）は実施形態２の被着体保持部を示す概略図。
【図１４】実施形態２の偏光板の貼付方法を示すフローチャート。
【図１５】（ａ）および（ｂ）は実施形態２の偏光板の貼付方法を示す概略図。
【図１６】（ａ）および（ｂ）は変形例のフィルム保持部を示す概略図。
【符号の説明】
【０１００】
３…被着体としての液晶パネル、４，５…光学フィルムとしての偏光板、１００，１５０…貼付装置、１０３…被着体保持部としてのパネルステージ、１０３ａ…載置面、１０３ｆ…第２透過部としての孔、１０７ａ…保持面、１０７ｃ…第１透過部としての孔、１０８…フィルム保持部としてのフィルムステージ、１０９ａ，１０９ｂ…ガイド部、１１０…回転機構としてのモーター、１１５…貼付ローラー、１５２…光源、１５３…マスター偏光子、１５４…受光部。
【図１】
2010117546.tif 000003
【図２】
2010117546.tif 000004
【図３】
2010117546.tif 000005
【図４】
2010117546.tif 000006
【図５】
2010117546.tif 000007
【図６】
2010117546.tif 000008
【図７】
2010117546.tif 000009
【図８】
2010117546.tif 000010
【図９】
2010117546.tif 000011
【図１０】
2010117546.tif 000012
【図１１】
2010117546.tif 000013
【図１２】
2010117546.tif 000014
【図１３】
2010117546.tif 000015
【図１４】
2010117546.tif 000016
【図１５】
2010117546.tif 000017
【図１６】
2010117546.tif 000018